(57)【要約】【課題】水平転送開始時の撮像信号の劣化をより確実に防止することができる固体撮像素子の駆動回路及び駆動方法を提供する。【解決手段】水平同期信号ＨＤの立ち上がりが検出された後、所定時間が経過するまでは、水平転送パルスφＨ１，φＨ２を同位相として、信号電荷の水平転送を停止させる。この後、水平転送パルスφＨ１，φＨ２を逆位相とすることで、水平転送動作を開始させる。また、水平同期信号ＨＤの立ち上がりが検出された後、所定時間が経過するまでは、水平転送パルスφＨ１，φＨ２の一方を固定電圧とすることで、信号電荷の水平転送を停止させることも可能である。【選択図】図４
2010074580.tif 000002
【特許請求の範囲】
【請求項１】
２次元状に配列された受光素子と、前記受光素子に蓄積された信号電荷を読み出し、複数の垂直転送パルスに基づいて前記信号電荷の垂直転送を行う垂直転送部と、前記垂直転送部から転送された前記信号電荷を、複数の水平転送パルスに基づいて水平転送する水平転送部と、前記水平転送部から転送された信号電荷を電圧信号に変換して出力する出力部とを有する固体撮像素子の駆動回路において、
前記複数の水平転送パルスの印加開始時から所定時間が経過するまでは、前記複数の水平転送パルスを同位相として、前記信号電荷の水平転送を停止させる水平転送停止手段を設けたことを特徴とする固体撮像素子の駆動回路。
【請求項２】
２次元状に配列された受光素子と、前記受光素子に蓄積された信号電荷を読み出し、複数の垂直転送パルスに基づいて前記信号電荷の垂直転送を行う垂直転送部と、前記垂直転送部から転送された前記信号電荷を、複数の水平転送パルスに基づいて水平転送する水平転送部と、前記水平転送部から転送された信号電荷を電圧信号に変換して出力する出力部とを有する固体撮像素子の駆動回路において、
前記複数の水平転送パルスの印加開始時から所定時間が経過するまでは、前記複数の水平転送パルスのうち、１つの水平転送パルス以外を固定電圧として、前記信号電荷の水平転送を停止させる水平転送停止手段を設けたことを特徴とする固体撮像素子の駆動回路。
【請求項３】
前記複数の水平転送パルスは、２相であることを特徴とする請求項１または２に記載の固体撮像素子の駆動回路。
【請求項４】
水平転送パルスの駆動能力を変更する駆動能力変更手段を備え、前記駆動能力変更手段は、前記複数の水平転送パルスの印加開始時から前記所定時間が経過するまでは、駆動能力を高めることを特徴とする請求項１から３いずれか１項に記載の固体撮像素子の駆動回路。
【請求項５】
２次元状に配列された受光素子と、前記受光素子に蓄積された信号電荷を読み出し、複数の垂直転送パルスに基づいて前記信号電荷の垂直転送を行う垂直転送部と、前記垂直転送部から転送された前記信号電荷を、複数の水平転送パルスに基づいて水平転送する水平転送部と、前記水平転送部から転送された信号電荷を電圧信号に変換して出力する出力部とを有する固体撮像素子の駆動方法において、
前記複数の水平転送パルスの印加開始時から所定時間が経過するまでは、前記複数の水平転送パルスを同位相として、前記信号電荷の水平転送を停止させることを特徴とする固体撮像素子の駆動方法。
【請求項６】
２次元状に配列された受光素子と、前記受光素子に蓄積された信号電荷を読み出し、複数の垂直転送パルスに基づいて前記信号電荷の垂直転送を行う垂直転送部と、前記垂直転送部から転送された前記信号電荷を、複数の水平転送パルスに基づいて水平転送する水平転送部と、前記水平転送部から転送された信号電荷を電圧信号に変換して出力する出力部とを有する固体撮像素子の駆動方法において、
前記複数の水平転送パルスの印加開始時から所定時間が経過するまでは、前記複数の水平転送パルスのうち、１つの水平転送パルス以外を固定電圧として、前記信号電荷の水平転送を停止させる水平転送停止手段を設けたことを特徴とする固体撮像素子の駆動方法。
【発明の詳細な説明】
【技術分野】
【０００１】
本発明は、ＣＣＤ型イメージセンサ等の固体撮像素子を駆動する駆動回路及び駆動方法に関する。
【背景技術】
【０００２】
ＣＣＤ型イメージセンサ（以下、単にＣＣＤという）等の固体撮像素子は、デジタルカメラ等に広く使用されている。ＣＣＤは、マトリクス状に配置された各画素に蓄積された信号電荷を、垂直転送部により１水平ライン分ずつ水平転送部へ向けて垂直転送するとともに、水平転送部に転送された１水平ライン分の信号電荷を１画素分ずつ水平転送し、水平転送部の端部に設けられた出力部により電荷電圧変換を行って撮像信号を出力するものである。
【０００３】
垂直転送部及び水平転送部は、ＣＣＤの外部に設けられた駆動回路によって駆動される。駆動回路は、垂直転送部を駆動する垂直ドライバと、水平転送部を駆動する水平ドライバとを備えている。垂直ドライバは、例えば４相の垂直転送パルスを垂直転送部に印加し、水平ドライバは、例えば２相の水平転送パルスを水平転送部に印加する。駆動回路は、１水平ライン分の信号電荷の水平転送後、垂直転送のために水平転送を一旦停止状態とする水平ブランキング期間を経てから、次の１水平ライン分の信号電荷の水平転送を開始させる。
【０００４】
このような従来の駆動回路では、水平ブランキング期間後に水平転送を開始する際に、消費電流が急激に変化（増加）するため、この消費電流の急激な変化による撮像信号への影響（水平ラインの端部での信号劣化）が問題となっている（例えば、特許文献１、２参照）。特許文献１、２では、駆動回路での消費電流の急激な変化により、水平転送開始後の最初の水平転送パルスの振幅が低下し、水平転送効率が低下するということを問題点としており、水平転送開始後の所定期間の間、水平転送パルスの周波数を本来の周波数より低下させることにより、消費電流の変化を緩やかにしている。
【特許文献１】特開２００４−３６４１５９号公報
【特許文献２】特開２００３−２９８９５５号公報
【発明の開示】
【発明が解決しようとする課題】
【０００５】
しかしながら、特許文献１、２に記載の駆動回路は、水平転送開始後に、所定期間の間だけ通常の水平転送パルスの周波数を下げるといった対策を施したものであるため、水平転送開始時に消費電流の変化が生じることには変わりなく、撮像信号の劣化を完全に防止することはできない。
【０００６】
本発明は、上記課題を鑑みてなされたものであり、水平転送開始時の撮像信号の劣化をより確実に防止することができる固体撮像素子の駆動回路及び駆動方法を提供することを目的とする。
【課題を解決するための手段】
【０００７】
上記目的を達成するために、本発明の固体撮像素子の駆動回路は、２次元状に配列された受光素子と、前記受光素子に蓄積された信号電荷を読み出し、複数の垂直転送パルスに基づいて前記信号電荷の垂直転送を行う垂直転送部と、前記垂直転送部から転送された前記信号電荷を、複数の水平転送パルスに基づいて水平転送する水平転送部と、前記水平転送部から転送された信号電荷を電圧信号に変換して出力する出力部とを有する固体撮像素子の駆動回路において、前記複数の水平転送パルスの印加開始時から所定時間が経過するまでは、前記複数の水平転送パルスを同位相として、前記信号電荷の水平転送を停止させる水平転送停止手段を設けたことを特徴とする。
【０００８】
また、本発明の固体撮像素子の駆動回路は、２次元状に配列された受光素子と、前記受光素子に蓄積された信号電荷を読み出し、複数の垂直転送パルスに基づいて前記信号電荷の垂直転送を行う垂直転送部と、前記垂直転送部から転送された前記信号電荷を、複数の水平転送パルスに基づいて水平転送する水平転送部と、前記水平転送部から転送された信号電荷を電圧信号に変換して出力する出力部とを有する固体撮像素子の駆動回路において、前記複数の水平転送パルスの印加開始時から所定時間が経過するまでは、前記複数の水平転送パルスのうち、１つの水平転送パルス以外を固定電圧として、前記信号電荷の水平転送を停止させる水平転送停止手段を設けたことを特徴とする。
【０００９】
なお、前記複数の水平転送パルスは、２相であることが好ましい。
【００１０】
また、水平転送パルスの駆動能力を変更する駆動能力変更手段を備え、前記駆動能力変更手段は、前記複数の水平転送パルスの印加開始時から前記所定時間が経過するまでは、駆動能力を高めることが好ましい。
【００１１】
また、本発明の固体撮像素子の駆動方法は、２次元状に配列された受光素子と、前記受光素子に蓄積された信号電荷を読み出し、複数の垂直転送パルスに基づいて前記信号電荷の垂直転送を行う垂直転送部と、前記垂直転送部から転送された前記信号電荷を、複数の水平転送パルスに基づいて水平転送する水平転送部と、前記水平転送部から転送された信号電荷を電圧信号に変換して出力する出力部とを有する固体撮像素子の駆動方法において、前記複数の水平転送パルスの印加開始時から所定時間が経過するまでは、前記複数の水平転送パルスを同位相として、前記信号電荷の水平転送を停止させることを特徴とする。
【００１２】
また、本発明の固体撮像素子の駆動方法は、２次元状に配列された受光素子と、前記受光素子に蓄積された信号電荷を読み出し、複数の垂直転送パルスに基づいて前記信号電荷の垂直転送を行う垂直転送部と、前記垂直転送部から転送された前記信号電荷を、複数の水平転送パルスに基づいて水平転送する水平転送部と、前記水平転送部から転送された信号電荷を電圧信号に変換して出力する出力部とを有する固体撮像素子の駆動方法において、前記複数の水平転送パルスの印加開始時から所定時間が経過するまでは、前記複数の水平転送パルスのうち、１つの水平転送パルス以外を固定電圧として、前記信号電荷の水平転送を停止させる水平転送停止手段を設けたことを特徴とする。
【発明の効果】
【００１３】
本発明によれば、駆動回路の消費電流が立ち上がり、消費電流が安定した状態で信号電荷の水平転送が開始されるので、水平転送開始時の撮像信号の劣化をより確実に防止することができる。
【発明を実施するための最良の形態】
【００１４】
（第１実施形態）
図１において、デジタルカメラ等の撮影装置に組み込まれるＣＣＤ１０は、駆動回路１１によって駆動される。駆動回路１１は、各種のタイミング信号を発生するＴＧ（Timing Generator）１２と、ＴＧ１２から入力される垂直転送用のタイミング信号をレベル変換して垂直転送パルスφＶ１〜φＶ４を発生する垂直ドライバ１３と、ＴＧ１２から入力される水平転送用のタイミング信号をレベル変換して水平転送パルスφＨ１，φＨ２を発生する水平ドライバ１４と、ＴＧ１２から入力される電荷リセット用のタイミング信号をレベル変換してリセットパルスφＲＳを発生するリセットドライバ１５とを有している。
【００１５】
ＣＣＤ１０は、図２に示すように、マトリクス状に配置され、被写体光を光電変換により信号電荷に変換して蓄積する複数の受光素子２１と、垂直方向（Ｙ方向）に並ぶ受光素子２１の各列ごとに配され、読み出しゲート２２を介して受光素子２１から読み出された信号電荷を垂直方向に転送する複数の垂直転送部２３とからなる撮像領域２４を備える。
【００１６】
垂直転送部２３は、複数の垂直転送電極を備え、垂直ドライバ１３から垂直転送電極に印加される垂直転送パルスφＶ１〜φＶ４によって４相駆動される。これらの垂直転送電極のうち、第１及び第３の垂直転送パルスφＶ１，φＶ３が印加される垂直転送電極は、読み出しゲート２２のゲート電極を兼ねている。垂直転送部２３に読み出された信号電荷は、１水平走査期間の周期で水平転送部２５に転送される。水平転送部２５は、各垂直転送部２３の出力端に共通に接続されており、垂直転送部２３から転送された１水平ライン分の信号電荷を水平方向（Ｘ方向）に転送する。水平転送部２５は、複数の水平転送電極を備え、水平ドライバ１４から水平転送電極に印加される水平転送パルスφＨ１，φＨ２によって２相駆動される。
【００１７】
水平転送部２５の出力端には、フローティングディフュージョンアンプからなる出力部２６が配されている。この出力部２６は、水平転送部２５の出力端へ転送されてきた信号電荷を１画素ずつ電圧信号（撮像信号）Ｖｏｕｔに変換して出力する。この出力部２６には、リセットドライバ１５からリセットパルスφＲＳが印加され、電荷電圧変換が終了した信号電荷を画素ごとに破棄する。
【００１８】
図１において、ＣＣＤ１０から出力された撮像信号Ｖｏｕｔは、ＣＤＳ（Correlated Double Sampling）／ＡＧＣ（Automatic Gain Control）回路１６に入力される。ＣＤＳ／ＡＧＣ回路１６は、ＣＣＤ１０から出力された撮像信号に対して、相関二重サンプリング（ＣＤＳ）を施してノイズを抑制し、その後、信号量に応じて利得を変える自動ゲイン補正（ＡＧＣ）を行う。Ａ／Ｄ変換器１７は、ＣＤＳ／ＡＧＣ回路１６からの出力信号をデジタル化し、画像データとして出力する。なお、前述のＴＧ１２は、ＣＤＳ用のタイミング信号をＣＤＳ／ＡＧＣ回路１６に入力するとともに、Ａ／Ｄ変換用のタイミング信号をＡ／Ｄ変換器１７に入力する。
【００１９】
ＭＰＵ（Micro Processing Unit）１８は、不図示のレリーズスイッチ等の操作信号に基づいて撮影装置の各部を統括的に制御する。ＣＣＤ１０を作動させる際には、ＭＰＵ１８は、ＴＧ１２にタイミング信号の発生を開始させる。ＴＧ１２は、不図示の信号処理回路から入力される垂直同期信号及び水平同期信号に基づき、発振器で発生された基本クロック信号に分周、遅延、論理合成等を行うことにより、上記の各種タイミング信号を発生する。
【００２０】
図３は、ＴＧ１２の内部に構成された水平転送タイミング発生回路３０を示す。水平転送タイミング発生回路３０は、カウンタ３１を有している。カウンタ３１は、水平同期信号ＨＤをトリガとして、基本クロック信号ＣＬＫのパルス数をカウント（例えば、立ち上がりエッジをカウント）し、カウント値が所定値（例えば、５パルス）に達するまではＨｉｇｈレベルの信号を出力するとともに、カウント値が所定値に達した後はＬｏｗレベルを出力する。カウンタ３１の出力信号は、セレクタ３２の選択端子Ｓ１に入力される。
【００２１】
セレクタ３２は、２つの入力端子Ａ１，Ａ２を有している。セレクタ３２の入力端子Ａ１には、基本クロック信号ＣＬＫが入力され、入力端子Ａ２には、インバータ３３によって極性が反転された、逆極性の基本クロック信号ＣＬＫＢが入力される。セレクタ３２は、選択端子Ｓ１の入力信号がＨｉｇｈレベルのときには、入力端子Ａ１に入力される信号（基本クロック信号ＣＬＫ）を出力し、選択端子Ｓ１の入力信号がＬｏｗレベルのときには、入力端子Ａ２に入力される信号（逆極性の基本クロック信号ＣＬＫＢ）を出力する。
【００２２】
セレクタ３２の出力信号は、前述の水平ドライバ１４に出力する水平転送用タイミング信号Ｈ１，Ｈ２のうち、第２の水平転送用タイミング信号Ｈ２として出力される。基本クロック信号ＣＬＫは、セレクタ３２の入力端子Ａ１及びインバータ３３に入力されるとともに、第１の水平転送用タイミング信号Ｈ１として出力される。
【００２３】
したがって、水平転送タイミング発生回路３０は、カウンタ３１のカウント値が所定値に達するまでの間は、水平転送用タイミング信号Ｈ１，Ｈ２として同位相の信号対を出力し、カウンタ３１のカウント値が所定値に達した後は、水平転送用タイミング信号Ｈ１，Ｈ２として逆位相の信号対を出力する。水平転送用タイミング信号Ｈ１，Ｈ２は、水平ドライバ１４によってレベル変換され、水平転送パルスφＨ１，φＨ２になる。なお、カウンタ３１及びセレクタ３２は、特許請求の範囲に記載の水平転送停止手段として機能する。
【００２４】
次に、以上のように構成された駆動回路１１の作用を、図４に示すタイミングチャートを参照しながら説明する。駆動回路１１は、水平ブランキング期間中に垂直転送パルスφＶ１〜φＶ４をＣＣＤ１０に印加して、垂直転送部２３中の信号電荷を垂直転送させ、１水平ライン分の信号電荷を水平転送部２５に転送させる（いわゆるラインシフト動作）。このラインシフト動作の後、水平ブランキング期間中に水平同期信号ＨＤが立ち上がる。
【００２５】
水平転送タイミング発生回路３０は、この水平同期信号ＨＤの立ち上がりを検出するとともに、基本クロック信号ＣＬＫのパルス数のカウントを開始する。このカウント値が所定値に達するまでの間は、駆動回路１１からＣＣＤ１０に印加される水平転送パルスφＨ１，φＨ２は、同位相（すなわち同一パルス）となる。この同位相の水平転送パルスφＨ１，φＨ２の印加中は、水平転送部２５内のポテンシャル電位が全体的に上下動することとなるため、信号電荷の移動は生じず、水平転送動作は行われない。次いで、カウント値が所定値に達した後は、駆動回路１１からＣＣＤ１０に印加される水平転送パルスφＨ１，φＨ２は、逆位相となり、水平転送部２５は通常の２相駆動によって水平転送動作が行われる。
【００２６】
駆動回路１１の消費電流は、同位相の水平転送パルスφＨ１，φＨ２の印加が行われる同位相期間の開始時から上昇する。同図に示すように、水平転送期間は、駆動回路１１の消費電流が安定した状態で開始されるため、消費電流の立ち上がりと同時に水平転送を開始する従来の駆動回路で生じるような撮像信号の劣化は、完全に防止される。
【００２７】
なお、駆動回路１１の消費電流の立ち上がり時間は、水平ドライバ１４のドライブ能力に依存するため、ドライブ能力が低く、消費電流の立ち上がり時間が長い場合には、カウンタ３１に設定する上記所定値を変更し、同位相期間を長くすれば良い。このように、同位相期間の長さを決定する上記所定値は、ＭＰＵ１８等から変更可能とすることが好ましい。
【００２８】
（第２実施形態）
上記第１実施形態では、水平転送を開始する前に、水平転送パルスφＨ１，φＨ２を同位相として印加し、駆動回路１１の消費電流を上昇させ安定化させた後、水平転送パルスφＨ１，φＨ２を逆位相として水平転送を開始しているが、水平転送を開始する前に消費電流を上昇させる手法としては、これに限られず、本実施形態で示す手法を用いることも可能である。第２実施形態は、水平転送タイミング発生回路の構成のみが第１実施形態と異なる。以下に相違点のみを説明する。
【００２９】
図５において、第２実施形態の水平転送タイミング発生回路４０は、カウンタ４１を有している。カウンタ４１は、水平同期信号ＨＤをトリガとして、基本クロック信号ＣＬＫのパルス数をカウント（例えば、立ち上がりエッジをカウント）し、カウント値が所定値（例えば、５パルス）に達するまではＨｉｇｈレベルの信号を出力するとともに、カウント値が所定値に達した後はＬｏｗレベルを出力する。カウンタ４１の出力信号は、セレクタ４２の選択端子Ｓ１に入力される。
【００３０】
セレクタ４２は、２つの入力端子Ａ１，Ａ２を有している。セレクタ４２の入力端子Ａ１には、インバータ４３によって極性が反転された、逆極性の基本クロック信号ＣＬＫＢが入力され、セレクタ４２の入力端子Ａ２には、接地電位（０Ｖ）が入力されている。セレクタ４２は、選択端子Ｓ１の入力信号がＨｉｇｈレベルのときには、入力端子Ａ２に入力される信号（接地電位）を出力し、選択端子Ｓ１の入力信号がＬｏｗレベルのときには、入力端子Ａ１に入力される信号（逆極性の基本クロック信号ＣＬＫＢ）を出力する。
【００３１】
セレクタ４２の出力信号は、前述の水平ドライバ１４に出力する水平転送用タイミング信号Ｈ１，Ｈ２のうち、第２の水平転送用タイミング信号Ｈ２として出力される。基本クロック信号ＣＬＫは、インバータ４３に入力されるとともに、第１の水平転送用タイミング信号Ｈ１として出力される。
【００３２】
したがって、水平転送タイミング発生回路４０は、カウンタ４１のカウント値が所定値に達するまでの間は、水平転送用タイミング信号Ｈ１，Ｈ２のうち、第２の水平転送用タイミング信号Ｈ２が固定電圧（接地電位）となり、カウンタ４１のカウント値が所定値に達した後は、水平転送用タイミング信号Ｈ１，Ｈ２として逆位相の信号対を出力する。水平転送用タイミング信号Ｈ１，Ｈ２は、水平ドライバ１４によってレベル変換され、水平転送パルスφＨ１，φＨ２になる。なお、カウンタ４１及びセレクタ４２は、特許請求の範囲に記載の水平転送停止手段として機能する。
【００３３】
次に、以上のように構成された駆動回路の作用を、図６に示すタイミングチャートを参照しながら説明する。水平転送タイミング発生回路４０は、垂直転送部２３のラインシフト動作の後、水平同期信号ＨＤの立ち上がりを検出すると、基本クロック信号ＣＬＫのパルス数のカウントを開始する。このカウント値が所定値に達するまでの間は、駆動回路からＣＣＤ１０に印加される水平転送パルスφＨ１，φＨ２のうち、第２の水平転送用タイミング信号Ｈ２が固定電圧となり、実質的に第１の水平転送パルスφＨ１のみがＣＣＤ１０に印加される。このとき、水平転送部２５内の第１の水平転送電極（第１の水平転送パルスφＨ１が印加される電極）下のポテンシャル電位のみが上下動するため、水平転送動作は行われない。次いで、カウント値が所定値に達した後は、駆動回路からＣＣＤ１０に印加される水平転送パルスφＨ１，φＨ２は、逆位相の信号対となり、水平転送部２５は通常の２相駆動によって水平転送動作が行われる。
【００３４】
駆動回路の消費電流は、第２の水平転送パルスφＨ２が固定電圧とされた状態で、第１の水平転送パルスφＨ１の印加が開始する時点から上昇する。同図に示すように、水平転送期間が開始する時点で、第２の水平転送パルスφＨ２の印加が開始し、消費電流が上昇するが、このときの消費電流の上昇量は、水平転送パルスφＨ１，φＨ２の印加が同時に開始する場合より小さく、従来の駆動回路で生じるような撮像信号の劣化は低減される。
【００３５】
第１実施形態では、水平転送パルスφＨ１，φＨ２を同位相として水平転送動作を停止させるために、水平転送パルスφＨ１，φＨ２間の信号遅延をなくすよう設計する必要があるが、第２実施形態では、水平転送動作を停止させるために、水平転送パルスφＨ１，φＨ２のうち、一方の第２の水平転送パルスφＨ２を固定電圧としているため、上記のような信号遅延を考慮する必要はない。
【００３６】
なお、水平転送動作を停止させるために、第２の水平転送パルスφＨ２に代えて、第１の水平転送パルスφＨ１を固定電圧としても良い。
【００３７】
（第３実施形態）
本発明の第３実施形態は、第１実施形態または第２実施形態の構成に加えて、水平ドライバのドライブ能力（駆動能力）を可変としたものである。本第３実施形態の水平ドライバは、図７に示す出力回路５０を有する。
【００３８】
出力回路５０は、並列接続された第１及び第２の出力バッファ５１，５２を、水平転送パルスφＨ１，φＨ２のそれぞれの出力端に備えている。第２の出力バッファ５２は、カウンタ３１（またはカウンタ４１）の出力信号Ｖｃに応じてスイッチングされ、出力信号ＶｃがＨｉｇｈレベルの場合にはオン状態、出力信号ＶｃがＬｏｗレベルの場合はオフ状態となる。
【００３９】
したがって、第３実施形態では、水平同期信号ＨＤの立ち上がりから水平転送が開始されるまでの水平転送停止期間には、水平ドライバは、第１及び第２の出力バッファ５１，５２によって駆動されるため、ドライブ能力が高く、消費電流の立ち上がりが早くなる。これにより、消費電流を短時間で安定させることが可能となる。
【００４０】
なお、上記の各実施形態では、垂直転送部が４相の垂直転送パルスで駆動され、水平転送部が２相の水平転送パルスで駆動される固体撮像素子を用いて説明を行ったが、本発明はこれに限定されず、例えば、垂直転送部が６相の垂直転送パルスで駆動され、水平転送部が２相の水平転送パルスで駆動される固体撮像素子や、垂直転送部が４相の垂直転送パルスで駆動され、水平転送部が４相の水平転送パルスで駆動される固体撮像素子などを用いることも可能である。垂直転送部及び水平転送部の相数は特に限定されない。
【００４１】
第２実施形態において水平転送パルスの相数を３以上とする場合には、１つの水平転送パルス以外を固定電圧とすることで、水平転送動作を停止したまま、駆動回路の消費電流を立ち上げることができる。
【００４２】
また、上記の各実施形態では、受光素子が正方格子状に配列された固体撮像素子を用いて説明を行ったが、本発明はこれに限定されず、受光素子の奇数列と偶数列とが互いに列方向に配列ピッチの１／２だけずれて配列された、いわゆるハニカム配列の固体撮像素子を用いることも可能である。
【図面の簡単な説明】
【００４３】
【図１】本発明の第１実施形態に係る駆動回路の構成を示すブロック図である。
【図２】ＣＣＤの構成を示す概略平面図である。
【図３】水平転送タイミング発生回路の構成を示す回路図である。
【図４】駆動回路の作用を示すタイミングチャートである。
【図５】本発明の第２実施形態に係る水平転送タイミング発生回路の構成を示す回路図である。
【図６】本発明の第２実施形態に係る駆動回路の作用を示すタイミングチャートである。
【図７】本発明の第３実施形態に係る水平ドライバの出力回路を示す回路図である。
【符号の説明】
【００４４】
１０  ＣＣＤ
１１  駆動回路
１２  タイミングジェネレータ（ＴＧ）
１３  垂直ドライバ
１４  水平ドライバ
２１  受光素子
２３  垂直転送部
２５  水平転送部
２６  出力部
３０，４０  水平転送タイミング発生回路
３１，４１  カウンタ
３２，４２  セレクタ
３３，４３  インバータ
５０  出力回路
５１  第１のバッファ
５２  第２のバッファ
【図１】
2010074580.tif 000003
【図２】
2010074580.tif 000004
【図３】
2010074580.tif 000005
【図４】
2010074580.tif 000006
【図５】
2010074580.tif 000007
【図６】
2010074580.tif 000008
【図７】
2010074580.tif 000009